(57)【要約】ネック部によってキャリアの外側フラップ（１２）の縁部に取り付けられた、２つの肩部を有する少なくとも１つの第二の雄型ロック部（７０Ａ〜７０Ｃ）から成り、第一のロックシステムとともに使用される、商品キャリア用の新しいタイプの第二のロックシステム。内側フラップ（２６）が、各第二の雄型ロック部に対応する第二の雌型開口（７４Ａ〜７４Ｃ）を有する。第二の雌型開口は、第二の切れ目線（７６Ａ〜７６Ｃ）と折り目線（８４Ａ〜８４Ｃ）とによって形成され、折り目線の中央部はフラップの縁部に向かって突出する一方、第二の切れ目線の中央部はフラップの縁部から離れる方向に突出し、それにより、第二の雄型ロック部を内側フラップの内側に当たる平坦位置に案内することができる。第二の雄型ロック部の肩部は、第二の切れ目線の延長部分に沿ったロックレッジに係合する。内向きに突出する１対のスリット（８６Ａ〜８６Ｆ）を折り目線の端部に形成し、それにより、第二の雄型ロック部を平坦位置に滑らせることができるようにしてもよい。このロックシステムは、従来型ロックシステムでは邪魔になる平坦な底部を有する容器の包装に特に有用である。
2007529378.tif 000002
【特許請求の範囲】
【請求項１】
複数の商品を持ち運ぶためのラップアラウンド式商品キャリアであって、
（ａ）該ラップアラウンド式キャリアは、上部板、対向する側部板、及び底部板を備え、該底部板は終端縁を有する内側フラップと終端縁を有する外側フラップとから成り、該外側フラップの一部分が該内側フラップの一部分と重り、
（ｂ）該内側フラップは、該内側フラップ内の第一の雌型開口によって形成された少なくとも１つの第一のロックレッジを有し、該外側フラップは、該外側フラップ内のスリット切れ目によって形成された、各ロックレッジに対応する第一の雄型ロック部を有し、
（ｃ）該外側フラップは、該フラップの該終端縁にネック部で取り付けられた、２つの肩部を有する少なくとも１つの第二の雄型ロック部を有し、該内側フラップは、各第二の雄型ロック部に対応する第二の雌型開口を有し、該第二の雌型開口は、該内側フラップの該終端縁から該第一の雌型開口より遠い位置にあり、各第二の雌型開口は、第二の切れ目線と、該内側フラップの該終端縁に該切れ目線より近い位置にある折り目線とによって形成され、該折り目線は、中央部及び２つの端部を有し、該第二の切れ目線は、該折り目線の各端部で該折り目線と少なくともほぼ合流し、該第二の切れ目線はその中央部が該内側フラップの該終端縁から該切れ目線の残り部分より相当に遠い位置にあり、前記第二の切れ目線及び該折り目線は、該第二の雌型開口内に雌型フラップを形成し、該折り目線は、該折り目線の該端部から該中央部まで該内側フラップの該終端縁に向かって突出し、該第二の切れ目線は、該折り目線の各端部を越えて延出し、それにより、該延長切れ目の、該内側フラップの該終端縁から遠い側に沿って第二のロックレッジを形成するようにした、ラップアラウンド式商品キャリア。
【請求項２】
前記延長切れ目は、前記折り目線の各端部から遠い点で向きが変わって、前記内側フラップの前記終端縁に向かって突出する、請求項１に記載のラップアラウンド式キャリア。
【請求項３】
各第二の雌型開口は、前記折り目線の各端部の近くで前記第二の切れ目線から、前記内側フラップの前記終端縁から離れる方向に短距離にわたって延びるスリットを有する、請求項１に記載のラップアラウンド式キャリア。
【請求項４】
各第二の雄型ロック部の前記ネック部は、２つの縁部を有し、該ネック部の該縁部間の距離は、前記スリット間の距離より短く、前記第二の雄型ロック部の前記ネック部は、前記スリット間の前記第二の雌型開口にはまるように構成されている、請求項３に記載のラップアラウンド式キャリア。
【請求項５】
複数の商品が装入されており、各第一の雄型ロック部は、第一の雌型開口によって形成されたロックレッジに係合し、各第二の雄型ロック部の前記肩部は、第二のロックレッジに係合し、それにより、前記複数の商品を前記キャリア内に固定する、請求項１に記載のラップアラウンド式キャリア。
【請求項６】
複数の商品を持ち運ぶためのラップアラウンド式商品キャリアであって、
（ａ）該ラップアラウンド式キャリアは、上部板、対向する側部板、及び底部板を備え、該底部板は終端縁を有する内側フラップと、終端縁を有する外側フラップとから成り、該外側フラップの一部分が該内側フラップの一部分と重なり、
（ｂ）該内側フラップは、該内側フラップ内の第一の雌型開口によって形成された少なくとも１つの第一のロックレッジを有し、該外側フラップは、該外側フラップ内のスリット切れ目によって形成された、各ロックレッジに対応する第一の雄型ロック部を有し、
（ｃ）該外側フラップは、該フラップの該終端縁にネック部で取り付けられた、２つの肩部を有する少なくとも１つの第二の雄型ロック部を有し、該内側フラップは、各第二の雄型ロック部に対応する第二の雌型開口を有し、該第二の雌型開口は、該内側フラップの該終端縁から該第一の雌型開口より遠い位置にあり、各第二の雌型開口は、第二の切れ目線と、該内側フラップの該終端縁に該切れ目線より近い位置にある折り目線とによって形成され、該折り目線は、形状が弓形であり、中央部及び２つの端部を有し、該中央部は、該内側フラップの該終端縁に該折り目線の該端部より近い位置にあり、該第二の切れ目線は、該折り目線の各端部で該折り目線と合流し、該第二の切れ目線は、Ｖ字形であり、該Ｖ字の頂部は、該内側フラップの該終端縁から該切れ目線の残り部分より遠い位置にあり、該第二の切れ目線及び該折り目線は、該第二の雌型開口内に雌型フラップを形成し、該第二の切れ目線は、該折り目線の各端部を越えて延出し、それにより、該延長切れ目の、該内側フラップの該終端縁から遠い側に沿って第二のロックレッジを形成するようにした、ラップアラウンド式商品キャリア。
【請求項７】
複数の商品が装入されており、各第一の雄型ロック部は、第一の雌型開口によって形成されたロックレッジに係合し、各第二の雄型ロック部の前記肩部は、第二のロックレッジに係合し、それにより、前記複数の商品を前記キャリア内に固定する、請求項６に記載のラップアラウンド式キャリア。
【請求項８】
前記延長切れ目は、前記折り目線の各端部から遠い点で向きが変わって、前記内側フラップの前記終端縁に向かって突出する、請求項６に記載のラップアラウンド式キャリア。
【請求項９】
各第二の雌型開口は、前記折り目線の各端部の近くで前記第二の切れ目線から、前記内側フラップの前記終端縁から離れる方向に短距離にわたって延びるスリットを有する、請求項７に記載の複数の商品が装入されたラップアラウンド式キャリア。
【請求項１０】
各第二の雄型ロック部の前記ネック部は、２つの縁部を有し、該ネック部の該縁部間の距離は、前記スリット間の距離より短く、前記第二の雄型ロック部の前記ネック部は、前記スリット間の前記第二の雌型開口にはまるように構成されている、請求項９に記載の複数の商品が装入されたラップアラウンド式キャリア。
【請求項１１】
複数の容器を持ち運ぶためのラップアラウンド式キャリアを形成するブランクであって、
（ａ）該ラップアラウンド式キャリアは、上部板、対向する側部板、及び底部板を備え、該底部板は終端縁を有する内側フラップと、終端縁を有する外側フラップとから成り、
（ｂ）該内側フラップは、該内側フラップ内の第一の雌型開口によって形成された少なくとも１つの第一のロックレッジを有し、該外側フラップは、該外側フラップ内のスリット切れ目によって形成された、各ロックレッジに対応する第一の雄型ロック部を有し、
（ｃ）該外側フラップは、該フラップの該終端縁にネック部で取り付けられた、２つの肩部を有する少なくとも１つの第二の雄型ロック部を有し、該内側フラップは、各第二の雄型ロック部に対応する第二の雌型開口を有し、該第二の雌型開口は、該内側フラップの該終端縁から該第一の雌型開口より遠い位置にあり、各第二の雌型開口は、第二の切れ目線と、該内側フラップの該終端縁に該切れ目線より近い位置にある折り目線とによって形成され、該折り目線は、中央部及び２つの端部を有し、該第二の切れ目線は、該折り目線の各端部で該折り目線と少なくともほぼ合流し、該第二の切れ目線は、その中央部が該内側フラップの該終端縁から該切れ目線の残り部分より相当に遠い位置にあり、該第二の切れ目線及び該折り目線は、該第二の雌型開口内に雌型フラップを形成し、該折り目線は、該折り目線の該端部から該中央部まで該内側フラップの該終端縁に向かって突出し、該第二の切れ目線は、該折り目線の各端部を越えて延出し、それにより、該延長切れ目の、該内側フラップの該終端縁から遠い側に沿って第二のロックレッジを形成するようにした、ラップアラウンド式キャリアを形成するブランク。
【請求項１２】
２列に並んだ複数の容器を持ち運ぶためのラップアラウンド式キャリアであって、
（ａ）第一の雄型ロック部及び対応の第一のロックレッジと、
（ｂ）第二の雄型ロック部及び２つの第二のロックレッジと、
を少なくとも２組有する、請求項１に記載のラップアラウンド式キャリア。
【請求項１３】
２列に並んだ複数の容器を持ち運ぶためのラップアラウンド式キャリアであって、
（ａ）第一の雄型ロック部及び対応の第一のロックレッジと、
（ｂ）第二の雄型ロック部及び２つの第二のロックレッジと、
を少なくとも２組有する、請求項６に記載のラップアラウンド式キャリア。
【請求項１４】
１列に並んだ複数の容器を持ち運ぶための、請求項１に記載のラップアラウンド式キャリア。
【請求項１５】
１列に並んだ複数の容器を持ち運ぶための、請求項６に記載のラップアラウンド式キャリア。
【請求項１６】
２列に並んだ複数の容器を装入したラップアラウンド式キャリアであって、
（ａ）該ラップアラウンド式キャリアは、上部板、対向する側部板、及び底部板を備え、該底部板は終端縁を有する内側フラップと終端縁を有する外側フラップとから成り、該外側フラップの一部分が該内側フラップの一部分と重なり、
（ｂ）該内側フラップは、少なくとも２つの第一のロックレッジを有し、各レッジは、該内側フラップ内の第一の雌型開口によって形成され、該外側フラップは、該外側フラップ内のスリット切れ目によって形成された、各ロックレッジに対応する第一の雄型ロック部を有し、各第一の雄型ロック部は、第一のロックレッジに係合し、各第一の雄型ロック部は、該内側フラップに当たって少なくともほぼ平坦であり、
（ｃ）該外側フラップは、少なくとも２つの第二の雄型ロック部を有し、各第二の雄型ロック部は、該フラップの該終端縁にネック部で取り付けられ、該内側フラップは、各第二の雄型ロック部に対応する第二の雌型開口を有し、該第二の雌型開口は該内側フラップの該終端縁から該第一の雌型開口より遠い位置にあり、各第二の雌型開口は、第二の切れ目線と、該内側フラップの該終端縁に該切れ目線より近い位置にある折り目線とによって形成され、該折り目線は、中央部及び２つの端部を有し、該第二の切れ目線は、該折り目線の各端部で該折り目線と少なくともほぼ合流し、該第二の切れ目線は、その中央部が該内側フラップの該終端縁から該切れ目線の残り部分よりかなり遠い位置にあり、該第二の切れ目線及び該折り目線は該第二の雌型開口内に雌型フラップを形成し、該折り目線は、該折り目線の該端部から該中央部まで該内側フラップの該終端縁に向かって突出し、該第二の切れ目線は、該折り目線の各端部を越えて延出し、それにより、該延長切れ目の、該内側フラップの該終端縁から遠い側に沿って第二のロックレッジを形成し、各第二の雄型ロック部は、第二の雌型開口を通って延出し、各第二の雄型ロック部の各肩部が、第二のロックレッジに係合し、各第二の雄型ロック部は、該キャリアの該内側フラップに当たって少なくともほぼ平坦である、２列に並んだ複数の容器を装入したラップアラウンド式キャリア。
【請求項１７】
前記延長切れ目は、前記折り目線の各端部から遠い点で向きが変わって、前記内側フラップの前記終端縁に向かって突出する、請求項１６に記載の２列に並んだ複数の容器を装入したラップアラウンド式キャリア。
【請求項１８】
各第二の雌型開口は、前記折り目線の各端部の近くで前記第二の切れ目線から、前記内側フラップの前記終端縁から離れる方向に短距離にわたって延びるスリットを有する、請求項１６に記載の２列に並んだ複数の容器を装入したラップアラウンド式キャリア。
【請求項１９】
各第二の雄型ロック部の前記ネック部は、２つの縁部を有し、該ネック部の該縁部間の距離は、前記スリット間の距離より短く、前記第二の雄型ロック部の前記ネック部は、前記スリット間の前記第二の雌型開口にはまるように構成されている、請求項１８に記載の２列に並んだ複数の容器を装入したラップアラウンド式キャリア。
【請求項２０】
前記容器は、缶である、請求項１６に記載のラップアラウンド式キャリア。
【請求項２１】
前記容器は、ボトルである、請求項１６に記載のラップアラウンド式キャリア。
【請求項２２】
１列に並んだ複数の容器を装入したラップアラウンド式キャリアであって、
（ａ）該ラップアラウンド式キャリアは、上部板、対向する側部板、及び底部板を備え、該底部板は終端縁を有する内側フラップと、終端縁を有する外側フラップとから成り、該外側フラップの一部分が該内側フラップの一部分と重なり、
（ｂ）該内側フラップは、少なくとも２つの第一のロックレッジを有し、各レッジは、該内側フラップ内の第一の雌型開口によって形成され、該外側フラップは、該外側フラップ内のスリット切れ目によって形成された、各ロックレッジに対応する第一の雄型ロック部を有し、各第一の雄型ロック部は、第一のロックレッジに係合し、各第一の雄型ロック部は、該内側フラップに当たって少なくともほぼ平坦であり、
（ｃ）該外側フラップは、少なくとも２つの第二の雄型ロック部を有し、各第二の雄型ロック部は、該フラップの該終端縁にネック部で取り付けられ、該内側フラップは、各第二の雄型ロック部に対応する第二の雌型開口を有し、該第二の雌型開口は、該内側フラップの該終端縁から該第一の雌型開口より遠い位置にあり、各第二の雌型開口は、第二の切れ目線と、該内側フラップの該終端縁に該切れ目線より近い位置にある折り目線とによって形成され、該折り目線は、中央部及び２つの端部を有し、該第二の切れ目線は、該折り目線の各端部で該折り目線と少なくともほぼ合流し、該第二の切れ目線は、その中央部が該内側フラップの該終端縁から該切れ目線の残り部分より相当に遠い位置にあり、該第二の切れ目線及び該折り目線は、該第二の雌型開口内に雌型フラップを形成し、該折り目線は、該折り目線の該端部から該中央部まで該内側フラップの該終端縁に向かって突出し、該第二の切れ目線は、該折り目線の各端部を越えて延出し、それにより、該延長切れ目の、該内側フラップの該終端縁から遠い側に沿って第二のロックレッジを形成し、各第二の雄型ロック部は第二の雌型開口を通って延出し、各第二の雄型ロック部の各肩部が、第二のロックレッジに係合し、各第二の雄型ロック部は、該キャリアの該内側フラップに当たって少なくともほぼ平坦である、１列に並んだ複数の容器を装入したラップアラウンド式キャリア。
【請求項２３】
前記延長切れ目は、前記折り目線の各端部から遠い点で向きが変わって、前記内側フラップの前記終端縁に向かって突出する、請求項２２に記載の１列に並んだ複数の容器を装入したラップアラウンド式キャリア。
【請求項２４】
スリットが、前記折り目線の各端部の近くで前記第二の切れ目線から、前記内側フラップの前記終端縁から離れる方向に短距離にわたって延びる、請求項２２に記載の１列に並んだ複数の容器を装入したラップアラウンド式キャリア。
【請求項２５】
２列に並んだ少なくとも４つの缶を装入したラップアラウンド式キャリアであって、
（ａ）該ラップアラウンド式キャリアは、上部板、対向する側部板、及び底部板を備え、該底部板は終端縁を有する内側フラップと終端縁を有する外側フラップとから成り、該外側フラップの一部分が該内側フラップの一部分と重なり、
（ｂ）該内側フラップは、少なくとも２つの第一のロックレッジを有し、各レッジは、該内側フラップ内の第一の雌型開口によって形成され、該外側フラップは、該外側フラップ内のスリット切れ目によって形成された、各ロックレッジに対応する第一の雄型ロック部を有し、各第一のロック部は、第一のロックレッジに係合し、各第一の雄型ロック部は、該内側フラップに当たって少なくともほぼ平坦であり、
（ｃ）該外側フラップは、少なくとも２つの第二の雄型ロック部を有し、各第二の雄型ロック部は、該フラップの該終端縁にネック部で取り付けられ、該内側フラップは、各第二の雄型ロック部に対応する第二の雌型開口を有し、該第二の雌型開口は、該内側フラップの該終端縁から該第一の雌型開口より遠い位置にあり、各第二の雌型開口は、第二の切れ目線と、該内側フラップの該終端縁に該切れ目線より近い位置にある折り目線とによって形成され、該折り目線は、中央部及び２つの端部を有し、該第二の切れ目線は、該折り目線の各端部で該折り目線と少なくともほぼ合流し、該第二の切れ目線は、その中央部が該内側フラップの該終端縁から該切れ目線の残り部分よりかなり遠い位置にあり、該第二の切れ目線及び該折り目線は、該第二の雌型開口内に雌型フラップを形成し、該折り目線は、該折り目線の該端部から該中央部まで該内側フラップの該終端縁に向かって突出し、該第二の切れ目線は、該折り目線の各端部を越えて延出し、それにより、該延長切れ目の、該内側フラップの該終端縁から遠い側に沿って第二のロックレッジを形成し、各第二の雄型ロック部は、第二の雌型開口を通って延出し、各第二の雄型ロック部の各肩部が、第二のロックレッジに係合し、各第二の雄型ロック部は、該キャリアの該内側フラップに当たって少なくともほぼ平坦である、２列に並んだ少なくとも４つの缶を装入したラップアラウンド式キャリア。
【請求項２６】
前記延長切れ目は、前記折り目線の各端部から遠い点で向きが変わって、前記内側フラップの前記終端縁に向かって突出する、請求項２５に記載の２列に並んだ少なくとも４つの缶を装入したラップアラウンド式キャリア。
【請求項２７】
スリットが、前記折り目線の各端部の近くで前記第二の切れ目線から、前記内側フラップの前記終端縁から離れる方向に短距離にわたって延びる、請求項２５に記載の２列に並んだ少なくとも４つの缶を装入したラップアラウンド式キャリア。
【請求項２８】
２列に並んだ少なくとも４本のボトルを装入したラップアラウンド式キャリアであって、
（ａ）該ラップアラウンド式キャリアは、上部板、対向する側部板、及び底部板を備え、該底部板は終端縁を有する内側フラップと終端縁を有する外側フラップとから成り、該外側フラップの一部分が該内側フラップの一部分と重なり、
（ｂ）該内側フラップは、少なくとも２つの第一のロックレッジを有し、各レッジは、該内側フラップ内の第一の雌型開口によって形成され、該外側フラップは、該外側フラップ内のスリット切れ目によって形成された、各ロックレッジに対応する第一の雄型ロック部を有し、各第一のロック部は、第一のロックレッジに係合し、各第一の雄型ロック部は、該内側フラップに当たって少なくともほぼ平坦であり、
（ｃ）該外側フラップは、少なくとも２つの第二の雄型ロック部を有し、各第二の雄型ロック部は、該フラップの該終端縁にネック部で取り付けられ、該内側フラップは、各第二の雄型ロック部に対応する第二の雌型開口を有し、該第二の雌型開口は、該内側フラップの該終端縁から該第一の雌型開口より遠い位置にあり、各第二の雌型開口は、第二の切れ目線と、該内側フラップの該終端縁に該切れ目線より近い位置にある折り目線とによって形成され、該折り目線は、中央部及び２つの端部を有し、該第二の切れ目線は、該折り目線の各端部で該折り目線と少なくともほぼ合流し、該第二の切れ目線は、その中央部が該内側フラップの該終端縁から該切れ目線の残り部分よりかなり遠い位置にあり、該第二の切れ目線及び該折り目線は、該第二の雌型開口内に雌型フラップを形成し、該折り目線は、該折り目線の該端部から該中央部まで該内側フラップの該終端縁に向かって突出し、該第二の切れ目線は、該折り目線の各端部を越えて延出し、それにより、該延長切れ目の、該内側フラップの該終端縁から遠い側に沿って第二のロックレッジを形成し、各第二の雄型ロック部は、第二の雌型開口を通って延出し、各第二の雄型ロック部の各肩部が、第二のロックレッジに係合し、各第二の雄型ロック部は、該キャリアの該内側フラップに当たって少なくともほぼ平坦である、２列に並んだ少なくとも４本のボトルを装入したラップアラウンド式キャリア。
【請求項２９】
前記延長切れ目は、前記折り目線の各端部から遠い点で向きが変わって、前記内側フラップの前記終端縁に向かって突出する、請求項２８に記載の２列に並んだ少なくとも４本のボトルを装入したラップアラウンド式キャリア。
【請求項３０】
スリットが、前記折り目線の各端部の近くで前記第二の切れ目線から、前記内側フラップの前記終端縁から離れる方向に短距離にわたって延びる、請求項２８に記載の２列に並んだ少なくとも４本のボトルを装入したラップアラウンド式キャリア。
【請求項３１】
商品キャリア内において、該キャリアの対向する側部板に連結されたかみ合い板であって、
（ａ）該かみ合い板は、該キャリアの該側部板に連結された内側フラップ及び外側フラップを備え、該内側フラップ及び該外側フラップの各々は終端縁を有し、該外側フラップの一部分が該内側フラップの一部分と重なり、
（ｂ）該内側フラップは、該内側フラップ内の第一の雌型開口によって形成された少なくとも１つの第一のロックレッジを有し、該外側フラップは、該外側フラップ内のスリット切れ目によって形成された各ロックレッジに対応する第一の雄型ロック部を有し、
（ｃ）該外側フラップは、該フラップの該終端縁にネック部で取り付けられた２つの肩部を有する少なくとも１つの第二の雄型ロック部を有し、該内側フラップは、各第二の雄型ロック部に対応する第二の雌型開口を有し、該第二の雌型開口は、該内側フラップの該終端縁から該第一の雌型開口より遠い位置にあり、各第二の雌型開口は、第二の切れ目線と、該内側フラップの該終端縁に該切れ目線より近い位置にある折り目線とによって形成され、該折り目線は、中央部及び２つの端部を有し、該第二の切れ目線は、該折り目線の各端部で該折り目線と少なくともほぼ合流し、該第二の切れ目線は、その中央部が該内側フラップの該終端縁から該切れ目線の残り部分よりかなり遠い位置にあり、該第二の切れ目線及び該折り目線は、該第二の雌型開口内に雌型フラップを形成し、該折り目線は、該折り目線の該端部から該中央部まで該内側フラップの該終端縁に向かって突出し、該第二の切れ目線は、該折り目線の各端部を越えて延出し、それにより、該延長切れ目の、該内側フラップの該終端縁から遠い側に沿って第二のロックレッジを形成するようにした、かみ合い板。
【請求項３２】
前記延長切れ目は、前記折り目線の各端部から遠い点で向きが変わって、前記内側フラップの前記終端縁に向かって突出する、請求項２８に記載のかみ合い板。
【請求項３３】
スリットが、前記折り目線の各端部の近くで前記第二の切れ目線から、前記内側フラップの前記終端縁から離れる方向に短距離にわたって延びる、請求項３１に記載のかみ合い板。
【請求項３４】
前記キャリアに複数の商品が装入されており、各第一の雄型ロック部は、第一の雌型開口によって形成されたロックレッジに係合し、各第二の雄型ロック部の前記肩部は、第二のロックレッジに係合し、それにより、前記内側フラップ及び前記外側フラップをかみ合い板として互いに固定する、請求項３１に記載のかみ合い板。
【請求項３５】
商品キャリア内において、該キャリアの対向する側部板に連結されたかみ合い板であって、
（ａ）該かみ合い板は、該キャリアの該側部板に連結された内側フラップ及び外側フラップを備え、該内側フラップ及び該外側フラップの各々は終端縁を有し、該外側フラップの一部分が該内側フラップの一部分と重なり、
（ｂ）該内側フラップは、該内側フラップ内の第一の雌型開口によって形成された少なくとも１つの第一のロックレッジを有し、該外側フラップは、該外側フラップ内のスリット切れ目によって形成された、各ロックレッジに対応する第一の雄型ロック部を有し、
（ｃ）該外側フラップは、該フラップの該終端縁にネック部で取り付けられた２つの肩部を有する少なくとも１つの第二の雄型ロック部を有し、該内側フラップは、各第二の雄型ロック部に対応する第二の雌型開口を有し、該第二の雌型開口は、該内側フラップの該終端縁から該第一の雌型開口より遠い位置にあり、各第二の雌型開口は、第二の切れ目線と、該内側フラップの該終端縁に該切れ目線より近い位置にある折り目線とによって形成され、該折り目線は、形状が弓形であり、中央部及び２つの端部を有し、該中央部は、該内側フラップの該終端縁に該折り目線の該端部より近い位置にあり、該第二の切れ目線は、該折り目線の各端部で該折り目線と合流し、該第二の切れ目線は、Ｖ字形であり、該Ｖ字の頂部は、該内側フラップの該終端縁から該切れ目線の残り部分より遠い位置にあり、該第二の切れ目線及び該折り目線は、該第二の雌型開口内に雌型フラップを形成し、該第二の切れ目線は、該折り目線の各端部を越えて延出し、それにより、該延長切れ目の、該内側フラップの該終端縁から遠い側に沿って第二のロックレッジを形成するようにした、かみ合い板。
【請求項３６】
前記延長切れ目は、前記折り目線の各端部から遠い点で向きが変わって、前記内側フラップの前記終端縁に向かって突出する、請求項３５に記載のかみ合い板。
【請求項３７】
スリットが、前記折り目線の各端部の近くで前記第二の切れ目線から、前記内側フラップの前記終端縁から離れる方向に短距離にわたって延びる、請求項３５に記載のかみ合い板。
【請求項３８】
商品キャリア内において、該キャリアの対向する側部板に連結されたかみ合い板であって、
（ａ）該かみ合い板は、該キャリアの該側部板に連結された内側フラップ及び外側フラップを備え、該内側フラップ及び該外側フラップの各々は終端縁を有し、
（ｂ）該内側フラップは、少なくとも２つの第一のロックレッジを有し、各レッジは、該内側フラップ内の第一の雌型開口によって形成され、該外側フラップは、該外側フラップ内のスリット切れ目によって形成された、各ロックレッジに対応する第一の雄型ロック部を有し、各第一の雄型ロック部は、第一のロックレッジに係合し、各第一の雄型ロック部は、該内側フラップに当たって少なくともほぼ平坦であり、
（ｃ）該外側フラップは、少なくとも２つの第二の雄型ロック部を有し、各第二の雄型ロック部は、該フラップの該終端縁にネック部で取り付けられ、該内側フラップは、各第二の雄型ロック部に対応する第二の雌型開口を有し、該第二の雌型開口は、該内側フラップの該終端縁から該第一の雌型開口より遠い位置にあり、各第二の雌型開口は、第二の切れ目線と、該内側フラップの該終端縁に該切れ目線より近い位置にある折り目線とによって形成され、該折り目線は、中央部及び２つの端部を有し、該第二の切れ目線は、該折り目線の各端部で該折り目線と少なくともほぼ合流し、該第二の切れ目線は、その中央部が該内側フラップの該終端縁から該切れ目線の残り部分よりかなり遠い位置にあり、該第二の切れ目線及び該折り目線は、該第二の雌型開口内に雌型フラップを形成し、該折り目線は、該折り目線の該端部から該中央部まで該内側フラップの該終端縁に向かって突出し、該第二の切れ目線は、該折り目線の各端部を越えて延出し、それにより、該延長切れ目の、該内側フラップの該終端縁から遠い側に沿って第二のロックレッジを形成し、各第二の雄型ロック部は、第二の雌型開口を通って延出し、各第二の雄型ロック部の各肩部が、第二のロックレッジに係合し、各第二の雄型ロック部は、該キャリアの該内側フラップに当たって少なくともほぼ平坦である、かみ合い板。
【請求項３９】
前記延長切れ目は、前記折り目線の各端部から遠い点で向きが変わって、前記内側フラップの前記終端縁に向かって突出する、請求項３８に記載のかみ合い板。
【請求項４０】
スリットが、前記折り目線の各端部の近くで前記第二の切れ目線から、前記内側フラップの前記終端縁から離れる方向に短距離にわたって延びる、請求項３８に記載のかみ合い板。
【請求項４１】
複数の商品を持ち運ぶためのラップアラウンド式商品キャリアであって、
上部板と、
対向する側部板と、及び
底部板であって、終端縁を有する内側フラップと、終端縁を有する外側フラップとを有し、該外側フラップの一部分が該内側フラップの一部分と重なる、底部板と、
を備え、
該外側フラップは、該外側フラップ内のスリット切れ目によって形成された、各ロックレッジに対応する第一の雄型ロック部を有し、
該外側フラップは、該フラップの該終端縁にネック部で取り付けられた、２つの肩部を有する少なくとも１つの第二の雄型ロック部を有する、ラップアラウンド式商品キャリア。
【請求項４２】
複数の容器を持ち運ぶためのラップアラウンド式キャリアを形成するためのブランクであって、
上部板と、
対向する側部板と、及び
底部板であって、終端縁を有する内側フラップと、終端縁を有する外側フラップとを有する底部板と、
を備え、
該内側フラップは、該内側フラップ内の第一の雌型開口によって形成された少なくとも１つの第一のロックレッジを有し、該外側フラップは、該外側フラップ内のスリット切れ目によって形成された、各ロックレッジに対応する第一の雄型ロック部を有し、
該外側フラップは、該フラップの該終端縁にネック部で取り付けられた、２つの肩部を有する少なくとも１つの第二の雄型ロック部を有し、
該内側フラップは、各第二の雄型ロック部に対応する第二の雌型開口を有し、該第二の雌型開口は、該内側フラップの該終端縁から該第一の雌型開口より遠い位置にある、ブランク。
【請求項４３】
２列に並んだ少なくとも４本のボトルを装入したラップアラウンド式キャリアであって、
上部板と、
対向する側部板と、及び
底部板であって、終端縁を有する内側フラップと、終端縁を有する外側フラップとを有し、該外側フラップの一部分が該内側フラップの一部分に重なる、底部板と、
を備え、
該内側フラップは、少なくとも２つの第一のロックレッジを有し、各レッジは、該内側フラップ内の第一の雌型開口によって形成され、該外側フラップは、該外側フラップ内のスリット切れ目によって形成された、各ロックレッジに対応する第一の雄型ロック部を有し、各第一のロック部は、第一のロックレッジに係合し、各第一の雄型ロック部は、該内側フラップに当たって少なくともほぼ平坦であり、
該外側フラップは、少なくとも２つの第二の雄型ロック部を有する、ラップアラウンド式キャリア。
【請求項４４】
商品キャリア内において、該キャリアの対向する側部板に連結されたかみ合い板であって、
該かみ合い板は、該キャリアの該側部板に連結された、各々が終端縁を有する内側フラップ及び外側フラップを備え、
該内側フラップは、該内側フラップ内の第一の雌型開口によって形成された少なくとも１つの第一のロックレッジを有し、該外側フラップは、該外側フラップ内のスリット切れ目によって形成された、各ロックレッジに対応する第一の雄型ロック部を有し、
該外側フラップは、該フラップの該終端縁にネック部で取り付けられた、２つの肩部を有する少なくとも１つの第二の雄型ロック部を有し、該内側フラップは、各第二の雄型ロック部に対応する第二の雌型開口を有する、かみ合い板。
【発明の詳細な説明】
【技術分野】
【０００１】
［発明の背景］
［発明の分野］
本発明は、包括的には容器又は他のタイプの複数の商品を持ち運ぶためのキャリアに関する。このカートンは、底部フラップをかみ合わせるために平坦な第一及び第二のロックシステムを有する。第一及び第二のロックは、平坦面上でかみ合い、容器が平坦な底部を有していても、ロック状態に留まる。このキャリアは、缶及びボトル又はさまざまな形状及び寸法の容器の持ち運びに使用される。
【背景技術】
【０００２】
［発明の背景］
ボトル又は缶を持ち運ぶためのラップアラウンド式キャリアをロックで固定することができる。これらのキャリアは通常、２つの底部フラップを互いにかみ合わせる第一及び第二のロックシステムを有する。第二のロックは特に、一般的にカートン内に突出する必要があり、平坦面上に位置しないので、平坦な底部を有する容器はこれらのロックシステムと干渉することが多い。ロックが平坦面上に位置して、キャリアを固定的にまとめて保持する第二のロックシステムを有することが望ましいであろう。
【発明の開示】
【課題を解決するための手段】
【０００３】
［発明の概要］
簡単に説明すると、本発明は、第一及び第二のロックシステムによってしっかり保持されるラップアラウンド式キャリアに関する。このキャリアは、内側フラップと、上に重なる外側フラップとをかみ合わせて形成された底部板を有する。各第一のロックは、外側フラップ内のスリット切れ目によって形成された第一の雄型ロック部と、内側フラップ内の第一の雌型開口内に形成された第一のロックレッジとを有する。第一の雄型ロック部は、第一のロックレッジに係合し、第一のロックシステムは、キャリアの底部板に当たって平坦に位置する。
【０００４】
第二のロックシステムは、外側フラップの縁部にネック部で連結された、２つの肩部を有する少なくとも１つの第二の雄型ロック部を有する。内側フラップ内に、各第二の雄型ロック部に対応して第二の雌型開口が形成されている。この第二の雌型開口は、内側フラップの縁部から第一の雌型開口より遠い位置に形成されている。各第二の雌型開口は、切れ目線と、内側フラップの縁部に切れ目線より近い位置にある折り目線とによって形成される。折り目線は、内側フラップの縁部に折り目線の端部より近い中央部を有する。折り目線は形状が弓形であることが好ましい。この第二の雌型開口を形成するための切れ目線は、内側フラップの縁部から切れ目線の端部より遠い中央部を有する。この第二の切れ目線はＶ字形であることが好ましい。この第二の切れ目線は、折り目線の各端部を越えて延出し、それにより、延長切れ目の、内側フラップの縁部から遠い側に沿って第二のロックレッジを形成し、第二の雄型ロック部の肩部がロックレッジに当たってロックされる。第二の切れ目線は、折り目線とその端部の各々で合流、又はほぼ合流する。雌型フラップが、この第二の雌型開口内に形成される。折り目線及び切れ目線を、その間の距離が中央部でより広くなるように配置することにより、第二の雄型ロック部の雌型開口内への挿入時の雌型フラップの折れ曲りを妨げる抵抗が与えられ、それにより、第二の雄型ロック部を内側フラップの内側に当たる平坦な位置に案内することが助けられる。切れ目線の中央部が内側フラップの縁部からさらに遠く離れていることも、第二の雄型ロック部を内側フラップの内側に当たる平坦な位置に案内することを助ける。１対のスリットを、折り目線の各端部が第二の切れ目線と合流する位置の近くに、内側フラップの縁部から離れる方向に延ばして設けてもよい。これらのスリットは、第二の雄型ロック部が内側フラップに当たって平坦に滑ることを助ける。各第二の雌型開口用のこれらのスリット間の距離が、第二の雄型ロック部のネック部の縁部間の距離より長く、それにより、ネック部がスリット間にはまることができるようにすることが好ましい。これは、ロックレッジが内側フラップの平面から押し出され、それにより、肩部が延長切れ目を通り抜けて、第二の雄型ロック部が解除されることがあり得ないように保証することを助ける。切れ目線の、延長部分を形成する端部でわずかに向きを変え、それにより、ロックされた第二のロックの応力を受けてこの切れ目線が引き裂けることを防止することができる。
【０００５】
本発明のキャリアは、単一列又は多重列の容器の持ち運びに使用されることができる。このキャリアは、ボトル及び缶の両方に、またプラスチックカップにも使用することができる。
【０００６】
第二のロックシステムが内側底部フラップの内側に当たって平坦に位置することにより、このロックシステムを、平坦な底部を有する、プラスチックカップ等の容器に使用することができる。第一のロックシステムも同様に、底部内側フラップに当たって平坦に位置する。
【０００７】
本発明のキャリアは、開放端部を有してもよい。保持フラップをこのキャリアの端部の上部及び底部に配置し、それにより、ボトル又は缶の落下を防止することができる。本発明のロックシステムは、缶又はボトルがキャリアの端部から落下することを防止する他の手段を有するキャリアに、又は完全密封されたキャリアに使用することができる。
【０００８】
添付の図面を参照すれば、本発明の多くの態様をよりうまく理解できるであろう。図中の構成要素は必ずしも同一縮尺ではなく、本発明の原理を明確に説明することに重点を置いている。さらに、図中では、同様の参照符号が幾つかの図面を通して対応部品を示す。
【発明を実施するための最良の形態】
【０００９】
［好適な実施形態の詳細な説明］
本発明は、主として食品又は飲料の収容に用いられる缶、ボトル又はカップに使用される。本発明は、平坦な底部を有する容器の包装に特に有用である。
【００１０】
図１に示されているように、本発明の一実施形態を形成するためのブランク１０は、板紙等の折り曲げ可能なシート材料から形成される。本発明のキャリアを形成するためのブランク１０は、外側フラップ１２を有し、この外側フラップは折り目線１６で側部板１４に取り付けられ、この側部板は折り目線２０で上部板１８に取り付けられている。上部板１８は、折り目線２４で対向する側部板２２に取り付けられており、この側部板は折り目線２８で内側フラップ２６に取り付けられている。
【００１１】
指フラップ３０Ａ、３０Ｂを切れ目線３６Ａ、３６Ｂ及び折り目線３２Ａ、３２Ｂによって設けてもよく、これらのフラップは、開放時に、キャリアを持ち運ぶための指開口部３６Ａ、３６Ｂを形成する。ディスペンサフラップ４０が、上部板１８内に切り取り線３８Ａ、３８Ｂによって形成されている。折り目線４４でディスペンサフラップ４０に取り付けられた開始タブ４２を設けてもよく、それにより、ディスペンサフラップ４０の除去を開始して、缶をキャリアから取り出すためのディスペンサ開口を設けることができる。
【００１２】
キャリアを１群の缶の周りに締め付けるために、包装機のフィンガを挿入することができるヒール開口部４６Ａ〜４６Ｆを設けてもよい。これらのヒール開口部４６Ａ〜４６Ｆは、缶を適正位置に保持することも助ける。折り目線５０Ａ〜５０Ｄでそれぞれ対応の側部板１４又は２２に取り付けられたタックインフラップ４８Ａ〜４８Ｄと隅部ガセット板５２Ａ〜５２Ｈとを設けることにより、缶の上部をキャリア内に保持するようにしてもよい。これらのタックインフラップ４８Ａ〜４８Ｄ及び隅部ガセット板５２Ａ〜５２Ｈは、折り目線５４Ａ〜５４Ｈ、５６Ａ〜５６Ｈ及び５８Ａ〜５８Ｈを設けることによって構成される。缶をキャリア内に保持するためにタックインフラップ４８Ａ〜４８Ｄ及び隅部ガセット板５２Ａ〜５２Ｈを所定位置に折り曲げるのを助けるように、開口部６０Ａ〜６０Ｈを設けてもよい。
【００１３】
このキャリアは、第一のロックシステム及び第二のバックアップロックシステムの組み合わせによってしっかり保持される。第一の雄型ロック部６４Ａ〜６４Ｃが、折り目線６２に沿って形成されて、第一の雌型開口部６６Ａ〜６６Ｃ内に形成されたそれぞれの第一のロックレッジ６８Ａ〜６８Ｃに係合してロックするようになっている。
【００１４】
第二の雄型ロック部７０Ａ〜７０Ｅが、それらをネック部７５Ａ〜７５Ｃによって取り付けた外側フラップ１２の延長部分として形成されている。第二の雌型開口７４Ａ〜７４Ｃが、第二の切れ目線７６Ａ〜７６Ｃと、内側フラップ２６の終端縁８８にほぼ平行である折り目線８４Ａ〜８４Ｃとによって内側フラップ２６内に形成されている。第二の雄型ロック部７０Ａ〜７０ｃの肩部７２Ａ〜７２Ｆが、ロック動作の際に内側フラップ２６を通り抜けて、図５Ａに符号８７Ｅ、８７Ｆで示されているロックレッジに当接するロック位置に進むことができるようにするために、第二の切れ目線７６Ａ〜７６Ｃの延長切れ目部８０Ａ〜８０Ｆが設けられている。これらのロックレッジ８７Ａ〜８７Ｆは、切れ目部の、内側フラップ２６の終端縁８８から遠い側で延長切れ目部８０Ａ〜８０Ｆに隣接している。ロック中に第二の雄型ロック部７０Ａ〜７０Ｃの肩部７２Ａ〜７２Ｆを延長切れ目部８０Ａ〜８０Ｆに挿通させたとき、それらによって加えられる応力を受けて切れ目部８０Ａ〜８０Ｆが内側フラップ２６内へ裂けることを防止するために、各延長切れ目部８０Ａ〜８０Ｆの端部に終端切れ目８２Ａ〜８２Ｆを設けてもよい。
【００１５】
ブランク１０を２列に並んだ６本の缶群に巻き付けて、第一及び第二のロックを一緒にロックすることによって固定する。タックインフラップ４８Ａ〜４８Ｄを内側に折り曲げて、カートンの端部と側部板１４及び２２とに隣接した缶によって所定位置に保持する。これらのタックインフラップ４８Ａ〜４８Ｄは、隅部ガセット板５２Ａ〜５２Ｈを図２に示されたような缶の隅部に隣接した位置に保持し、図２はキャリアを倒置位置で示している。外側フラップ１２を内側フラップ２６の上に重ねて、図２〜図４に示されているように、第一の雄型ロック部６４Ａ〜６４Ｃを第一の雌型開口部６６Ａ〜６６Ｃに挿入し、第一のロックレッジ６８Ａ〜６８Ｃに当ててロックする。
【００１６】
図３に示されているように、第二の雄型ロック部７０Ａ〜７０Ｃを第二の雌型開口７４Ａ〜７４Ｃに挿入するが、図３も、キャリアのロックを説明するために、キャリアを倒置位置で示している。包装機は、図４に示されているように、第二の雄型ロック部７０Ａ〜７０Ｃを第二の雌型開口７４Ａ〜７４Ｃ内へ完全に押し込むことにより、ロック動作を継続する。第二の雄型ロック部７０Ａ〜７０Ｃは、第二の切れ目線７６Ａ〜７６Ｃの形状によって内側フラップ２６の内側に当たって平坦位置に案内され、第二の切れ目線は、その中央部が内側フラップ２６の終端縁８８から第二の切れ目線７６Ａ〜７６Ｃの端部より遠い位置にある。この第二の切れ目線７６Ａ〜７６Ｃは、第二の雄型ロック部７０Ａ〜７０Ｃを平坦位置に案内するのを助ける頂部を有するＶ字形であることが好ましい。折り目線８４Ａ〜８４Ｃの中央部は、内側フラップ２６の終端縁８８に折り目線の端部より近い位置にある。第二の切れ目線７６Ａ〜７６Ｃ及び折り目線８４Ａ〜８４Ｃの形状により、結果的に中央部が端部より広い第二の雌型フラップ７７Ａ〜７７Ｃが形成される。これは、第二の雌型フラップが内側に押されることに対する抵抗力を与え、このことは、第二の雄型ロック部７０Ａ〜７０Ｃが平坦面上に位置することを保証するのを助ける。第二の雌型フラップ７７Ａ〜７７Ｃも、内側へ押し込まれることにそれらが抵抗するため、 平坦面上に留まる。各折り目線８４Ａ〜８４Ｃは各端部で、第二の切れ目線７６Ａ〜７６Ｃと合流するか、ほぼ合流するまで向きが変わる。第二の雌型開口７４Ａ〜７４Ｃの好適な構成は、折り目線８４Ａ〜８４Ｃの形状が弓形であり、第二の切れ目線７６Ａ〜７６ＣがＶ字形であって頂部７８Ａ〜７８Ｃを有することである。
【００１７】
第二の雄型ロック部７０Ｃが第二の雌型開口７４Ｃに入る様子が、図５Ａに示されている。第一の雄型ロック部６４Ｃが第一のロックレッジ６８Ｃに当たる内側ロックの完了状態が、図５に示されている。
【００１８】
図５Ａに示されているように、第二の雄型ロック部７０Ｃは、第二の雌型開口７４Ｃに挿入されるように並んでおり、肩部７２Ｅ、７２Ｆが延長切れ目８０Ｅ、８０Ｆを通って挿入されるように並んでいる。可能な限り平坦であり、そのため、容器の平坦な底部によって妨げられない第二のロックシステムを設けるために、内側フラップ２６及び外側フラップ１２のすべての部分が、同一平面上にあるか、その平面からわずかに変位するだけであることが必要である。
【００１９】
この離れ業は、２つの追加的な特徴の導入によって本発明の第二のロックシステムで助けられ、その追加的な特徴は、第二のロックがしっかりロックされたままであることを保証するのも助ける。スリット８６Ａ〜８６Ｆを設け、それにより、内側フラップ２６の、図５及び図５Ａに第二の切れ目線７６Ｃに隣接したスリット８６Ｅ及び８６Ｆで示されているようなスリットの間の部分をわずかに外向きに変位させることができるようにしてもよい。これらのスリット８６Ａ〜８６Ｆは、第二の切れ目線７６Ａ〜７６Ｅから、終端縁８８から離れる方向に延びる。各スリットは、折り目線８４Ａ〜８４Ｅの端部の近くに位置している。スリット８６Ｅ及び８６Ｆ間でのこのわずかな変位は、第二の雄型ロック部７０Ｃのネック部７５Ｃを第二の雌型開口７４Ｃにはめ込むことができるようにするために必要である。これらのスリット８６Ａ〜８６Ｆにより、肩部７２Ｅ、７２Ｆが延長切れ目８０Ｅ、８０Ｆを通り抜けた後、ロックレッジ８７Ｅ、８７Ｆは内側フラップ２６の平面に戻ることができ、第二の雄型ロック部は図５Ａに示されているようなロック位置にある。図５Ａ及び図５に示されているように、もしロックレッジ８７Ｅ、８７Ｆが内側フラップ２６の平面から変位し、したがって延長切れ目８０Ｅ、８０Ｆの他方側のロックランド部８５Ｅ、８５Ｆと異なる平面上にあるとすると、肩部７２Ｅ、７２Ｆが延長切れ目８０Ｅ、８０Ｆを通り抜けて戻る可能性があり、第二の雄型ロック部７０Ｃが解除されるであろう。ロックレッジ８７Ｅ、８７Ｆをロックランド部８５Ｅ、８５Ｆと同一平面に戻すために、図５Ａに示されているように、ネック部７５Ｃの縁部７３Ｅ、７３Ｆ間の距離Ｂが、スリット８６Ｅ、８６Ｆ間の距離Ａより短くなければならない。
【００２０】
図６には、第一の雄型ロック部６４Ｃ及び第二の雄型ロック部７０Ｃの両方がほぼ平坦な位置に示されている。キャリア内の容器が平坦な底部を有することは、本発明の第一及び第二のロック構成とは干渉しない。
【００２１】
缶を装入したこのキャリアは、指フラップ３０Ａ、３０Ｂを内側に押し込んだときに持ち運ぶことができる。このキャリアは、開始タブ４２を掴んで切り取り線３８Ａ、３８Ｂを引き裂き、ディスペンサフラップ４０を引き開くことによって開くことができる。
【００２２】
多くの他のタイプの缶パックが本発明の第一及び第二のロック構成を利用することができることを理解する必要がある。本発明の第一及び第二のロックシステムはまた、さまざまなタイプの商品や、カップ及びボトル等の他のタイプの容器を包装するために使用できる。このロックシステムは、１列、２列又は３列以上に並んだ容器を持ち運ぶラップアラウンド式キャリアのロックに使用できる。
【００２３】
２列に並べた６本のボトルを持ち運ぶためのラップアラウンド式キャリアである本発明の別の実施形態を形成するためのブランク１１０が、図７に示されている。このブランク１１０から形成されるキャリアは、図１に示したブランク１０から形成されたキャリアと同じ第一及び第二のロックシステムを使用する。図７に示されたブランク１１０のロックシステムを説明するために、図１に使用したものと同じ符号列６２〜８２を使用する。
【００２４】
図７に示されているブランク１１０は、外側フラップ１１２を有し、これは折り目線１１６で下側部板１１４に連結され、下側部板は折り目線１２０で上側部板１１８に連結され、上側部板は折り目線１２４で上部板１２２に連結され、上部板は折り目線１２８で上側部板１２６に連結されている。上側部板１２６は折り目線１３２で下側部板１３０に連結され、下側部板は折り線１３６で内側フラップ１３４に連結されている。
【００２５】
ブランク１１０から形成されたキャリアは、装入済みキャリアを持ち運ぶための指開口部１３８Ａ〜１３８Ｂを有する。開放端部を有するキャリア内にボトルを保持するのを助けるとともに、ボトルの周りにより緊密に巻き付くために、ボトルキャップ開口部１４０Ａ〜１４０Ｆが設けられている。ボトルキャップ開口部１４０Ａ〜１４０Ｆの引き裂けを防止するとともに、ボトルキャップ及びネック部がボトルキャップ開口部１４０Ａ〜１４０Ｆ内にはまり込むようにするために、拡張スリット１４２Ａ〜１４２Ｆが設けられている。それぞれ折り目線１４６及び１５０で上部板１２２に連結された端部フラップ１４４及び１４８が設けられている。ガセット板１５２Ａ〜１５２Ｄにより、端部フラップ１４４及び１４８を下向きに折り曲げ、それにより、ボトルをキャリア内に保持するのを助ける。ガセット板１５２Ａ〜１５２Ｄは、折り目線１５４Ａ〜１５４Ｄで上側部板１１８又は上側部板１２６に取り付けられている。
【００２６】
ボトルのヒールがはまり込み、それにより、ボトルをキャリア内に保持し、且つキャリアがボトル群に緊密に巻き付くのを助けるために、ヒール開口部１５６Ａ〜１５６Ｆを設けてもよい。一例としてヒール開口部１５６Ａを使用して、切れ目１６２で分離された対の扉１５８Ａ、１５８Ｂが設けられている。ボトルのヒールがキャリアを引き裂くことなくヒール開口部１５６Ａに緊密にはまり込むことができるように、拡張スリット１６４が設けられている。
【００２７】
ブランク１０を一群の缶に巻き付けたやり方とほぼ同じやり方で、ブランク１１０を一群のボトルに巻き付ける。ブランク１１０を２列に並んだ６本のボトル群の上にたれ掛けて、上側部板１１８及び１２６と下側部板１１４及び１３０とを下方に折り曲げる。ボトルキャップ及びボトルのネック部の一部分が、各ボトルキャップ開口部１４０Ａ〜１４０Ｆを通って突出するであろう。端部フラップ１４４及び１４８を下方に折り曲げて、それらがガセット板１５２Ａ〜１５２Ｆによって保持されるロック位置に置く。ヒール開口部１５６Ａの扉部１５８Ａ、１５８Ｂ及び他のヒール開口部１５６Ｂ〜１５６Ｆの扉部を内側に押し込み、ボトルのヒールを扉部の間で各ヒール開口部１５６Ａ〜１５６Ｆ内に挿入する。１５８Ａ、１５８Ｂによって示されるような扉部は、ボトルをヒール開口部内に保持するのを助ける。内側フラップ１３４をボトルの底部に当てて折り曲げ、外側フラップ１１２を折り曲げて内側フラップ１３４の上に重ねる。第一の雄型ロック部６４Ａ〜６４Ｃを第一の雌型開口部６６Ａ〜６６Ｃに挿入して、第一のロックレッジ６８Ａ〜６８Ｃに係合させる。第二の雄型ロック部７０Ａ〜７０Ｃを第二の雌型開口７４Ａ〜７４Ｃに通して挿入し、それにより、第二の雄型ロック部７０Ａ〜７０Ｃの肩部７２Ａ〜７２Ｆを、延長切れ目８０Ａ〜８０Ｆによって形成された第二のロックレッジ（図５Ａの８７Ｅ、８７Ｆを参照）に係合させる。第一の雄型ロック部６４Ａ〜６４Ｃ及び第二の雄型ロック部７０Ａ〜７０Ｃの両方が、内側フラップ１３４の内側に当たってほぼ平坦に位置する。
【００２８】
本発明の第一のロックシステム及び第二のロックシステムは、缶、ボトル及びカップ用のラップアラウンド式キャリアに使用できる。それはまた、キャリアの端部をロックするために、１２本缶パックキャリア等の完全密封型キャリアにも使用できる。この場合、キャリアの端部が、本発明の第一及び第二のロックシステムでかみ合わされる。
【００２９】
添付の図面及び詳細な説明を考察すれば、本発明の他のシステム、方法、特徴及び利点が当業者に明らかである、又は明らかになるであろう。そのようなすべての追加システム、方法、特徴及び利点は、本説明に含まれ、本発明の範囲に入り、添付の特許請求の範囲によって保護されるものとする。
【図面の簡単な説明】
【００３０】
【図１Ａ】本発明の一実施形態の、６本の缶を収容するためのキャリアを形成するためのキャリアブランクの平面図である。
【図１Ｂ】本発明の一実施形態の、６本の缶を収容するためのキャリアを形成するためのキャリアブランクの平面図である。
【図２】図１のブランクから形成されて、６本の缶に巻き付けられているキャリアであって、倒置位置に示されて、ロックの準備をして並んでいる第二の雄型ロック部を示す、キャリアの斜視図である。
【図３】図２のキャリアの、第二の雄型ロック部が第二の雌型開口に途中まで挿入されている状態での斜視図である。
【図４】図３のキャリアの、第二の雄型ロック部が第二の雌型開口に挿入されてロックされている状態での斜視図である。
【図５Ａ】ロックの課程にある第一及び第二のロックの破断図である。
【図５】係合した第一及び第二のロックの破断図である。
【図６】第一及び第二のロックが基本的に平坦になっている様子を示す、図５の底部板の６−６線に沿った断面斜視図である。
【図７Ａ】本発明の一実施形態の、６本のボトルを収容するためのキャリアを形成するためのキャリアブランクの平面図である。
【図７Ｂ】本発明の一実施形態の、６本のボトルを収容するためのキャリアを形成するためのキャリアブランクの平面図である。
【図８】図７のブランクから形成されて、６本のボトルに巻き付けられているキャリアであって、倒置位置に示されて、第一及び第二のロックのすべてがロックされているところを示す、キャリアの斜視図である。
【図１Ａ】
2007529378.tif 000003
【図１Ｂ】
2007529378.tif 000004
【図２】
2007529378.tif 000005
【図３】
2007529378.tif 000006
【図４】
2007529378.tif 000007
【図５Ａ】
2007529378.tif 000008
【図５】
2007529378.tif 000009
【図６】
2007529378.tif 000010
【図７Ａ】
2007529378.tif 000011
【図７Ｂ】
2007529378.tif 000012
【図８】
2007529378.tif 000013
【手続補正書】
【提出日】平成19年6月5日(2007.6.5)
【手続補正１】
【補正対象書類名】特許請求の範囲
【補正対象項目名】全文
【補正方法】変更
【補正の内容】
【特許請求の範囲】
【請求項１】
複数の商品を持ち運ぶためのラップアラウンド式商品キャリアであって、
（ａ）該ラップアラウンド式キャリアは、上部板、対向する側部板、及び底部板を備え、該底部板は終端縁を有する内側フラップと終端縁を有する外側フラップとから成り、該外側フラップの一部分が該内側フラップの一部分と重り、
（ｂ）該内側フラップは、該内側フラップ内の第一の雌型開口によって形成された少なくとも１つの第一のロックレッジを有し、該外側フラップは、該外側フラップ内のスリット切れ目によって形成された、各ロックレッジに対応する第一の雄型ロック部を有し、
（ｃ）該外側フラップは、該フラップの該終端縁にネック部で取り付けられた、２つの肩部を有する少なくとも１つの第二の雄型ロック部を有し、該内側フラップは、各第二の雄型ロック部に対応する第二の雌型開口を有し、該第二の雌型開口は、該内側フラップの該終端縁から該第一の雌型開口より遠い位置にあり、各第二の雌型開口は、第二の切れ目線と、該内側フラップの該終端縁に該切れ目線より近い位置にある折り目線とによって形成され、該折り目線は、中央部及び２つの端部を有し、該第二の切れ目線は、該折り目線の各端部で該折り目線と少なくともほぼ合流し、該第二の切れ目線は該第二の雄型ロックを該内側フラップに対して平らな位置に導くように形成され、該第二の切れ目線はその中央部が該内側フラップの該終端縁から該切れ目線の残り部分より相当に遠い位置にあり、前記第二の切れ目線及び該折り目線は、該第二の雌型開口内に雌型フラップを形成し、該折り目線は、該折り目線の該端部から該中央部まで該内側フラップの該終端縁に向かって突出し、延長切れ目からなる該第二の切れ目線は、該折り目線の各端部を越えて延出し、それにより、該延長切れ目の、該内側フラップの該終端縁から遠い側に沿って第二のロックレッジを形成するようにした、ラップアラウンド式商品キャリア。
【請求項２】
前記延長切れ目は、前記折り目線の各端部から遠い点で向きが変わって、前記内側フラップの前記終端縁に向かって突出する、請求項１に記載のラップアラウンド式キャリア。
【請求項３】
各第二の雌型開口は、前記折り目線の各端部の近くで前記第二の切れ目線から、前記内側フラップの前記終端縁から離れる方向に短距離にわたって延びるスリットを有する、請求項１に記載のラップアラウンド式キャリア。
【請求項４】
各第二の雄型ロック部の前記ネック部は、２つの縁部を有し、該ネック部の該縁部間の距離は、前記スリット間の距離より短く、前記第二の雄型ロック部の前記ネック部は、前記スリット間の前記第二の雌型開口にはまるように構成されている、請求項３に記載のラップアラウンド式キャリア。
【請求項５】
複数の商品が装入されており、各第一の雄型ロック部は、第一の雌型開口によって形成されたロックレッジに係合し、各第二の雄型ロック部の前記肩部は、第二のロックレッジに係合し、それにより、前記複数の商品を前記キャリア内に固定する、請求項１に記載のラップアラウンド式キャリア。
【請求項６】
複数の商品を持ち運ぶためのラップアラウンド式商品キャリアであって、
（ａ）該ラップアラウンド式キャリアは、上部板、対向する側部板、及び底部板を備え、該底部板は終端縁を有する内側フラップと、終端縁を有する外側フラップとから成り、該外側フラップの一部分が該内側フラップの一部分と重なり、
（ｂ）該内側フラップは、該内側フラップ内の第一の雌型開口によって形成された少なくとも１つの第一のロックレッジを有し、該外側フラップは、該外側フラップ内のスリット切れ目によって形成された、各ロックレッジに対応する第一の雄型ロック部を有し、
（ｃ）該外側フラップは、該フラップの該終端縁にネック部で取り付けられた、２つの肩部を有する少なくとも１つの第二の雄型ロック部を有し、該内側フラップは、各第二の雄型ロック部に対応する第二の雌型開口を有し、該第二の雌型開口は、該内側フラップの該終端縁から該第一の雌型開口より遠い位置にあり、各第二の雌型開口は、第二の切れ目線と、該内側フラップの該終端縁に該切れ目線より近い位置にある折り目線とによって形成され、該折り目線は、形状が弓形であり、中央部及び２つの端部を有し、該中央部は、該内側フラップの該終端縁に該折り目線の該端部より近い位置にあり、該第二の切れ目線は、該折り目線の各端部で該折り目線と合流し、該第二の切れ目線は該第二の雄型ロックを該内側フラップに対して平らな位置に導くように形成され、該第二の切れ目線は、Ｖ字形であり、該Ｖ字の頂部は、該内側フラップの該終端縁から該切れ目線の残り部分より遠い位置にあり、該第二の切れ目線及び該折り目線は、該第二の雌型開口内に雌型フラップを形成し、延長切れ目からなる該第二の切れ目線は、該折り目線の各端部を越えて延出し、それにより、該延長切れ目の、該内側フラップの該終端縁から遠い側に沿って第二のロックレッジを形成するようにした、ラップアラウンド式商品キャリア。
【請求項７】
複数の商品が装入されており、各第一の雄型ロック部は、第一の雌型開口によって形成されたロックレッジに係合し、各第二の雄型ロック部の前記肩部は、第二のロックレッジに係合し、それにより、前記複数の商品を前記キャリア内に固定する、請求項６に記載のラップアラウンド式キャリア。
【請求項８】
前記延長切れ目は、前記折り目線の各端部から遠い点で向きが変わって、前記内側フラップの前記終端縁に向かって突出する、請求項６に記載のラップアラウンド式キャリア。
【請求項９】
各第二の雌型開口は、前記折り目線の各端部の近くで前記第二の切れ目線から、前記内側フラップの前記終端縁から離れる方向に短距離にわたって延びるスリットを有する、請求項７に記載の複数の商品が装入されたラップアラウンド式キャリア。
【請求項１０】
各第二の雄型ロック部の前記ネック部は、２つの縁部を有し、該ネック部の該縁部間の距離は、前記スリット間の距離より短く、前記第二の雄型ロック部の前記ネック部は、前記スリット間の前記第二の雌型開口にはまるように構成されている、請求項９に記載の複数の商品が装入されたラップアラウンド式キャリア。
【請求項１１】
複数の容器を持ち運ぶためのラップアラウンド式キャリアを形成するブランクであって、
（ａ）該ラップアラウンド式キャリアは、上部板、対向する側部板、及び底部板を備え、該底部板は終端縁を有する内側フラップと、終端縁を有する外側フラップとから成り、
（ｂ）該内側フラップは、該内側フラップ内の第一の雌型開口によって形成された少なくとも１つの第一のロックレッジを有し、該外側フラップは、該外側フラップ内のスリット切れ目によって形成された、各ロックレッジに対応する第一の雄型ロック部を有し、
（ｃ）該外側フラップは、該フラップの該終端縁にネック部で取り付けられた、２つの肩部を有する少なくとも１つの第二の雄型ロック部を有し、該内側フラップは、各第二の雄型ロック部に対応する第二の雌型開口を有し、該第二の雌型開口は、該内側フラップの該終端縁から該第一の雌型開口より遠い位置にあり、各第二の雌型開口は、第二の切れ目線と、該内側フラップの該終端縁に該切れ目線より近い位置にある折り目線とによって形成され、該折り目線は、中央部及び２つの端部を有し、該第二の切れ目線は、該折り目線の各端部で該折り目線と少なくともほぼ合流し、該第二の切れ目線は該第二の雄型ロックを該内側フラップに対して平らな位置に導くように形成され、該第二の切れ目線は、その中央部が該内側フラップの該終端縁から該切れ目線の残り部分より相当に遠い位置にあり、該第二の切れ目線及び該折り目線は、該第二の雌型開口内に雌型フラップを形成し、該折り目線は、該折り目線の該端部から該中央部まで該内側フラップの該終端縁に向かって突出し、延長切れ目からなる該第二の切れ目線は、該折り目線の各端部を越えて延出し、それにより、該延長切れ目の、該内側フラップの該終端縁から遠い側に沿って第二のロックレッジを形成するようにした、ラップアラウンド式キャリアを形成するブランク。
【請求項１２】
２列に並んだ複数の容器を持ち運ぶためのラップアラウンド式キャリアであって、
（ａ）第一の雄型ロック部及び対応の第一のロックレッジと、
（ｂ）第二の雄型ロック部及び２つの第二のロックレッジと、
を少なくとも２組有する、請求項１に記載のラップアラウンド式キャリア。
【請求項１３】
２列に並んだ複数の容器を持ち運ぶためのラップアラウンド式キャリアであって、
（ａ）第一の雄型ロック部及び対応の第一のロックレッジと、
（ｂ）第二の雄型ロック部及び２つの第二のロックレッジと、
を少なくとも２組有する、請求項６に記載のラップアラウンド式キャリア。
【請求項１４】
１列に並んだ複数の容器を持ち運ぶための、請求項１に記載のラップアラウンド式キャリア。
【請求項１５】
少なくとも１列に並んだ複数の容器を持ち運ぶための、請求項６に記載のラップアラウンド式キャリア。
【請求項１６】
２列に並んだ複数の容器を装入したラップアラウンド式キャリアであって、
（ａ）該ラップアラウンド式キャリアは、上部板、対向する側部板、及び底部板を備え、該底部板は終端縁を有する内側フラップと終端縁を有する外側フラップとから成り、該外側フラップの一部分が該内側フラップの一部分と重なり、
（ｂ）該内側フラップは、少なくとも２つの第一のロックレッジを有し、各レッジは、該内側フラップ内の第一の雌型開口によって形成され、該外側フラップは、該外側フラップ内のスリット切れ目によって形成された、各ロックレッジに対応する第一の雄型ロック部を有し、各第一の雄型ロック部は、第一のロックレッジに係合し、各第一の雄型ロック部は、該内側フラップに当たって少なくともほぼ平坦であり、
（ｃ）該外側フラップは、少なくとも２つの第二の雄型ロック部を有し、各第二の雄型ロック部は、該フラップの該終端縁にネック部で取り付けられ、該内側フラップは、各第二の雄型ロック部に対応する第二の雌型開口を有し、該第二の雌型開口は該内側フラップの該終端縁から該第一の雌型開口より遠い位置にあり、各第二の雌型開口は、第二の切れ目線と、該内側フラップの該終端縁に該切れ目線より近い位置にある折り目線とによって形成され、該折り目線は、中央部及び２つの端部を有し、該第二の切れ目線は、該折り目線の各端部で該折り目線と少なくともほぼ合流し、該第二の切れ目線は該少なくとも二つの第二の雄型ロックの一つを該内側フラップに対して平らな位置に導くように形成され、該第二の切れ目線は、その中央部が該内側フラップの該終端縁から該切れ目線の残り部分よりかなり遠い位置にあり、該第二の切れ目線及び該折り目線は該第二の雌型開口内に雌型フラップを形成し、該折り目線は、該折り目線の該端部から該中央部まで該内側フラップの該終端縁に向かって突出し、延長切れ目からなる該第二の切れ目線は、該折り目線の各端部を越えて延出し、それにより、該延長切れ目の、該内側フラップの該終端縁から遠い側に沿って第二のロックレッジを形成し、各第二の雄型ロック部は、第二の雌型開口を通って延出し、各第二の雄型ロック部の各肩部が、第二のロックレッジに係合し、各第二の雄型ロック部は、該キャリアの該内側フラップに当たって少なくともほぼ平坦である、２列に並んだ複数の容器を装入したラップアラウンド式キャリア。
【請求項１７】
前記延長切れ目は、前記折り目線の各端部から遠い点で向きが変わって、前記内側フラップの前記終端縁に向かって突出する、請求項１６に記載の２列に並んだ複数の容器を装入したラップアラウンド式キャリア。
【請求項１８】
各第二の雌型開口は、前記折り目線の各端部の近くで前記第二の切れ目線から、前記内側フラップの前記終端縁から離れる方向に短距離にわたって延びる一対のスリットを有する、請求項１６に記載の２列に並んだ複数の容器を装入したラップアラウンド式キャリア。
【請求項１９】
各第二の雄型ロック部の前記ネック部は、２つの縁部を有し、該ネック部の該縁部間の距離は、前記スリット間の距離より短く、前記第二の雄型ロック部の前記ネック部は、前記スリット間の前記第二の雌型開口にはまるように構成されている、請求項１８に記載の２列に並んだ複数の容器を装入したラップアラウンド式キャリア。
【請求項２０】
前記容器は、ボトル又は缶である、請求項１６に記載のラップアラウンド式キャリア。
【請求項２１】
１列に並んだ複数の容器を装入したラップアラウンド式キャリアであって、
（ａ）該ラップアラウンド式キャリアは、上部板、対向する側部板、及び底部板を備え、該底部板は終端縁を有する内側フラップと、終端縁を有する外側フラップとから成り、該外側フラップの一部分が該内側フラップの一部分と重なり、
（ｂ）該内側フラップは、少なくとも２つの第一のロックレッジを有し、各レッジは、該内側フラップ内の第一の雌型開口によって形成され、該外側フラップは、該外側フラップ内のスリット切れ目によって形成された、各ロックレッジに対応する第一の雄型ロック部を有し、各第一の雄型ロック部は、第一のロックレッジに係合し、各第一の雄型ロック部は、該内側フラップに当たって少なくともほぼ平坦であり、
（ｃ）該外側フラップは、少なくとも２つの第二の雄型ロック部を有し、各第二の雄型ロック部は、該フラップの該終端縁にネック部で取り付けられ、該内側フラップは、各第二の雄型ロック部に対応する第二の雌型開口を有し、該第二の雌型開口は、該内側フラップの該終端縁から該第一の雌型開口より遠い位置にあり、各第二の雌型開口は、第二の切れ目線と、該内側フラップの該終端縁に該切れ目線より近い位置にある折り目線とによって形成され、該折り目線は、中央部及び２つの端部を有し、該第二の切れ目線は、該折り目線の各端部で該折り目線と少なくともほぼ合流し、該第二の切れ目線は該少なくとも二つの第二の雄型ロックの一つを該内側フラップに対して平らな位置に導くように形成され、該第二の切れ目線は、その中央部が該内側フラップの該終端縁から該切れ目線の残り部分より相当に遠い位置にあり、該第二の切れ目線及び該折り目線は、該第二の雌型開口内に雌型フラップを形成し、該折り目線は、該折り目線の該端部から該中央部まで該内側フラップの該終端縁に向かって突出し、延長切れ目からなる該第二の切れ目線は、該折り目線の各端部を越えて延出し、それにより、該延長切れ目の、該内側フラップの該終端縁から遠い側に沿って第二のロックレッジを形成し、各第二の雄型ロック部は第二の雌型開口を通って延出し、各第二の雄型ロック部の各肩部が、第二のロックレッジに係合し、各第二の雄型ロック部は、該キャリアの該内側フラップに当たって少なくともほぼ平坦である、１列に並んだ複数の容器を装入したラップアラウンド式キャリア。
【請求項２２】
前記延長切れ目は、前記折り目線の各端部から遠い点で向きが変わって、前記内側フラップの前記終端縁に向かって突出する、請求項２１に記載の１列に並んだ複数の容器を装入したラップアラウンド式キャリア。
【請求項２３】
一対のスリットが、前記折り目線の各端部の近くで前記第二の切れ目線から、前記内側フラップの前記終端縁から離れる方向に短距離にわたって延びる、請求項２１に記載の１列に並んだ複数の容器を装入したラップアラウンド式キャリア。
【請求項２４】
２列に並んだ少なくとも４個の容器を装入したラップアラウンド式キャリアであって、
（ａ）該ラップアラウンド式キャリアは、上部板、対向する側部板、及び底部板を備え、該底部板は終端縁を有する内側フラップと終端縁を有する外側フラップとから成り、該外側フラップの一部分が該内側フラップの一部分と重なり、
（ｂ）該内側フラップは、少なくとも２つの第一のロックレッジを有し、各レッジは、該内側フラップ内の第一の雌型開口によって形成され、該外側フラップは、該外側フラップ内のスリット切れ目によって形成された、各ロックレッジに対応する第一の雄型ロック部を有し、各第一のロック部は、第一のロックレッジに係合し、各第一の雄型ロック部は、該内側フラップに当たって少なくともほぼ平坦であり、
（ｃ）該外側フラップは、少なくとも２つの第二の雄型ロック部を有し、各第二の雄型ロック部は、該フラップの該終端縁にネック部で取り付けられ、該内側フラップは、各第二の雄型ロック部に対応する第二の雌型開口を有し、該第二の雌型開口は、該内側フラップの該終端縁から該第一の雌型開口より遠い位置にあり、各第二の雌型開口は、第二の切れ目線と、該内側フラップの該終端縁に該切れ目線より近い位置にある折り目線とによって形成され、該折り目線は、中央部及び２つの端部を有し、該第二の切れ目線は、該折り目線の各端部で該折り目線と少なくともほぼ合流し、該第二の切れ目線は該少なくとも二つの第二の雄型ロックの一つを該内側フラップに対して平らな位置に導くように形成され、該第二の切れ目線は、その中央部が該内側フラップの該終端縁から該切れ目線の残り部分よりかなり遠い位置にあり、該第二の切れ目線及び該折り目線は、該第二の雌型開口内に雌型フラップを形成し、該折り目線は、該折り目線の該端部から該中央部まで該内側フラップの該終端縁に向かって突出し、延長切れ目からなる該第二の切れ目線は、該折り目線の各端部を越えて延出し、それにより、該延長切れ目の、該内側フラップの該終端縁から遠い側に沿って第二のロックレッジを形成し、各第二の雄型ロック部は、第二の雌型開口を通って延出し、各第二の雄型ロック部の各肩部が、第二のロックレッジに係合し、各第二の雄型ロック部は、該キャリアの該内側フラップに当たって少なくともほぼ平坦である、２列に並んだ少なくとも４本のボトルを装入したラップアラウンド式キャリア。
【請求項２５】
前記延長切れ目は、前記折り目線の各端部から遠い点で向きが変わって、前記内側フラップの前記終端縁に向かって突出する、請求項２４に記載の２列に並んだ少なくとも４個の容器を装入したラップアラウンド式キャリア。
【請求項２６】
一対のスリットが、前記折り目線の各端部の近くで前記第二の切れ目線から、前記内側フラップの前記終端縁から離れる方向に短距離にわたって延びる、請求項２４に記載の２列に並んだ少なくとも４本のボトルを装入したラップアラウンド式キャリア。
【請求項２７】
商品キャリア内において、該キャリアの対向する側部板に連結されたかみ合い板であって、
（ａ）該かみ合い板は、該キャリアの該側部板に連結された内側フラップ及び外側フラップを備え、該内側フラップ及び該外側フラップの各々は終端縁を有し、該外側フラップの一部分が該内側フラップの一部分と重なり、
（ｂ）該内側フラップは、該内側フラップ内の第一の雌型開口によって形成された少なくとも１つの第一のロックレッジを有し、該外側フラップは、該外側フラップ内のスリット切れ目によって形成された各ロックレッジに対応する第一の雄型ロック部を有し、
（ｃ）該外側フラップは、該フラップの該終端縁にネック部で取り付けられた２つの肩部を有する少なくとも１つの第二の雄型ロック部を有し、該内側フラップは、各第二の雄型ロック部に対応する第二の雌型開口を有し、該第二の雌型開口は、該内側フラップの該終端縁から該第一の雌型開口より遠い位置にあり、各第二の雌型開口は、第二の切れ目線と、該内側フラップの該終端縁に該切れ目線より近い位置にある折り目線とによって形成され、該折り目線は、中央部及び２つの端部を有し、該第二の切れ目線は、該折り目線の各端部で該折り目線と少なくともほぼ合流し、該第二の切れ目線は該第二の雄型ロックを該内側フラップに対して平らな位置に導くように形成され、該第二の切れ目線は、その中央部が該内側フラップの該終端縁から該切れ目線の残り部分よりかなり遠い位置にあり、該第二の切れ目線及び該折り目線は、該第二の雌型開口内に雌型フラップを形成し、該折り目線は、該折り目線の該端部から該中央部まで該内側フラップの該終端縁に向かって突出し、延長切れ目からなる該第二の切れ目線は、該折り目線の各端部を越えて延出し、それにより、該延長切れ目の、該内側フラップの該終端縁から遠い側に沿って第二のロックレッジを形成するようにした、かみ合い板。
【請求項２８】
前記延長切れ目は、前記折り目線の各端部から遠い点で向きが変わって、前記内側フラップの前記終端縁に向かって突出する、請求項２７に記載のかみ合い板。
【請求項２９】
一対のスリットが、前記折り目線の各端部の近くで前記第二の切れ目線から、前記内側フラップの前記終端縁から離れる方向に短距離にわたって延びる、請求項２７に記載のかみ合い板。
【請求項３０】
前記キャリアに複数の商品が装入されており、各第一の雄型ロック部は、第一の雌型開口によって形成されたロックレッジに係合し、各第二の雄型ロック部の前記肩部は、第二のロックレッジに係合し、それにより、前記内側フラップ及び前記外側フラップをかみ合い板として互いに固定する、請求項２７に記載のかみ合い板。
【請求項３１】
商品キャリア内において、該キャリアの対向する側部板に連結されたかみ合い板であって、
（ａ）該かみ合い板は、該キャリアの該側部板に連結された内側フラップ及び外側フラップを備え、該内側フラップ及び該外側フラップの各々は終端縁を有し、該外側フラップの一部分が該内側フラップの一部分と重なり、
（ｂ）該内側フラップは、該内側フラップ内の第一の雌型開口によって形成された少なくとも１つの第一のロックレッジを有し、該外側フラップは、該外側フラップ内のスリット切れ目によって形成された、各ロックレッジに対応する第一の雄型ロック部を有し、
（ｃ）該外側フラップは、該フラップの該終端縁にネック部で取り付けられた２つの肩部を有する少なくとも１つの第二の雄型ロック部を有し、該内側フラップは、各第二の雄型ロック部に対応する第二の雌型開口を有し、該第二の雌型開口は、該内側フラップの該終端縁から該第一の雌型開口より遠い位置にあり、各第二の雌型開口は、第二の切れ目線と、該内側フラップの該終端縁に該切れ目線より近い位置にある折り目線とによって形成され、該折り目線は、形状が弓形であり、中央部及び２つの端部を有し、該中央部は、該内側フラップの該終端縁に該折り目線の該端部より近い位置にあり、該第二の切れ目線は、該折り目線の各端部で該折り目線と合流し、該第二の切れ目線は、Ｖ字形であり、該Ｖ字の頂部は、該内側フラップの該終端縁から該切れ目線の残り部分より遠い位置にあり、該第二の切れ目線及び該折り目線は、該第二の雌型開口内に雌型フラップを形成し、延長切れ目からなる該第二の切れ目線は、該折り目線の各端部を越えて延出し、それにより、該延長切れ目の、該内側フラップの該終端縁から遠い側に沿って第二のロックレッジを形成するようにした、かみ合い板。
【請求項３２】
前記延長切れ目は、前記折り目線の各端部から遠い点で向きが変わって、前記内側フラップの前記終端縁に向かって突出する、請求項３１に記載のかみ合い板。
【請求項３３】
一対のスリットが、前記折り目線の各端部の近くで前記第二の切れ目線から、前記内側フラップの前記終端縁から離れる方向に短距離にわたって延びる、請求項３１に記載のかみ合い板。
【請求項３４】
商品キャリア内において、該キャリアの対向する側部板に連結されたかみ合い板であって、
（ａ）該かみ合い板は、該キャリアの該側部板に連結された内側フラップ及び外側フラップを備え、該内側フラップ及び該外側フラップの各々は終端縁を有し、
（ｂ）該内側フラップは、少なくとも２つの第一のロックレッジを有し、各レッジは、該内側フラップ内の第一の雌型開口によって形成され、該外側フラップは、該外側フラップ内のスリット切れ目によって形成された、各ロックレッジに対応する第一の雄型ロック部を有し、各第一の雄型ロック部は、第一のロックレッジに係合し、各第一の雄型ロック部は、該内側フラップに当たって少なくともほぼ平坦であり、
（ｃ）該外側フラップは、少なくとも２つの第二の雄型ロック部を有し、各第二の雄型ロック部は、該フラップの該終端縁にネック部で取り付けられ、該内側フラップは、各第二の雄型ロック部に対応する第二の雌型開口を有し、該第二の雌型開口は、該内側フラップの該終端縁から該第一の雌型開口より遠い位置にあり、各第二の雌型開口は、第二の切れ目線と、該内側フラップの該終端縁に該切れ目線より近い位置にある折り目線とによって形成され、該折り目線は、中央部及び２つの端部を有し、該第二の切れ目線は、該折り目線の各端部で該折り目線と少なくともほぼ合流し、該第二の切れ目線は該少なくとも二つの第二の雄型ロックの一つを該内側フラップに対して平らな位置に導くように形成され、該第二の切れ目線は、その中央部が該内側フラップの該終端縁から該切れ目線の残り部分よりかなり遠い位置にあり、該第二の切れ目線及び該折り目線は、該第二の雌型開口内に雌型フラップを形成し、該折り目線は、該折り目線の該端部から該中央部まで該内側フラップの該終端縁に向かって突出し、延長切れ目からなる該第二の切れ目線は、該折り目線の各端部を越えて延出し、それにより、該延長切れ目の、該内側フラップの該終端縁から遠い側に沿って第二のロックレッジを形成し、各第二の雄型ロック部は、第二の雌型開口を通って延出し、各第二の雄型ロック部の各肩部が、第二のロックレッジに係合し、各第二の雄型ロック部は、該キャリアの該内側フラップに当たって少なくともほぼ平坦である、かみ合い板。
【請求項３５】
前記延長切れ目は、前記折り目線の各端部から遠い点で向きが変わって、前記内側フラップの前記終端縁に向かって突出する、請求項３４に記載のかみ合い板。
【請求項３６】
一対のスリットが、前記折り目線の各端部の近くで前記第二の切れ目線から、前記内側フラップの前記終端縁から離れる方向に短距離にわたって延びる、請求項３４に記載のかみ合い板。
【請求項３７】
前記容器は、ボトルまたは缶である、請求項２４に記載のラップアラウンド式キャリア。
【請求項３８】
前記スリットは、一対のスリットを含む、請求項３に記載のラップアラウンド式キャリア。
【請求項３９】
前記ネック部は幅を有し、前記１対のスリットは互いに該ネックの該幅より広く離れている、請求項３８に記載のラップアラウンド式キャリア。
【国際調査報告】
2007529378.tif 000014
2007529378.tif 000015